(57)【要約】【課題】標準摂取率およびＣＴ値に加え、それらを用いた新しい指標を付与することで新生物の有無の診断を補助できるようにする。【解決手段】被検体に投与された放射性同位元素から発生するγ線を検出し、その検出したγ線に基づいて放射性同位元素の分布画像を得るＰＥＴからの放射性同位元素の分布画像と、被検体に投射されて透過したＸ線を検出し、その検出したＸ線に基づいてＸ線断層画像を得るＸ線ＣＴからのＸ線断層画像とに基づいて両画像を重ね合わせた重ね合わせ画像を画像重ね合わせ手段３０で作成し、その重ね合わせ画像に基づいて関心領域設定手段３７で関心領域を設定し、その関心領域における標準摂取率（ＳＵＶ）とＣＴ値との比ＣＴ値／ＳＵＶ比をＣＴ値／ＳＵＶ比算出手段３３で算出し、その算出されたＣＴ値／ＳＵＶ比と重ねあわせ画像とを表示モニタ６に表示する。【選択図】図２
2007307125.tif 000002
【特許請求の範囲】
【請求項１】
被検体に投与された放射性同位元素から発生するγ線を検出し、その検出したγ線に基づいて放射性同位元素の分布画像を得るＰＥＴからの放射性同位元素の分布画像と、被検体に投射されて透過したＸ線を検出し、その検出したＸ線に基づいてＸ線断層画像を得るＸ線ＣＴからのＸ線断層画像とに基づいて両画像を重ね合わせた重ね合わせ画像を作成する画像重ね合わせ手段と、前記分布画像、前記Ｘ線断層画像、または、前記重ね合わせ画像のいずれかに基づいて関心領域を設定する関心領域設定手段と、前記関心領域設定手段で設定された関心領域における前記ＰＥＴによる標準摂取率と前記Ｘ線ＣＴによるＣＴ値との特定相関関係を示す特定相関値を算出する特定相関値算出手段と、前記画像重ね合わせ手段で作成された重ねあわせ画像と前記特定相関値算出手段で算出された特定相関値とを表示する表示手段とを備えたことを特徴とする画像診断装置。
【請求項２】
請求項１に記載の画像診断装置において、
特定相関値算出手段で算出された特定相関値を画素値に変換する画素値変換手段を備え、前記画素値変換手段で画素値に変換された特定相関値の画像を表示手段に表示させるように構成してある画像診断装置。
【発明の詳細な説明】
【技術分野】
【０００１】
この発明は、被検体に投与された放射性同位元素から発生するγ線を検出し、その検出したγ線に基づいて放射性同位元素の分布画像を得るＰＥＴからの放射性同位元素の分布画像と、被検体に投射されて透過したＸ線を検出し、その検出したＸ線に基づいてＸ線断層画像を得るＸ線ＣＴからのＸ線断層画像とを用いた画像診断装置に関する。
【背景技術】
【０００２】
上述のようなＰＥＴからの放射性同位元素の分布画像、および、Ｘ線ＣＴからのＸ線断層画像を取得するものとして、従来、次のようなものが知られている。
すなわち、被検体を載置する天板が水平方向に変位可能に設けられ、その天板の移動方向の一端側にＰＥＴ用ガントリとＸ線ＣＴ用ガントリとが備えられている。
ＰＥＴ用ガントリにγ線検出器が設けられるとともに、ＰＥＴ用制御処理部と表示モニタとが備えられている。これにより、被検体に投与されたポジトロン型の放射性同位元素から発生するγ線をγ線検出器で検出し、その検出されたγ線検出信号をＰＥＴ用制御処理部で処理し、取得された放射性同位元素の分布画像を表示モニタに表示するように構成されている。
【０００３】
また、Ｘ線ＣＴ用ガントリに、被検体にＸ線を照射するＸ線管と、被検体を透過したＸ線を検出するＸ線検出器とが設けられるとともに、Ｘ線ＣＴ用制御処理部と表示モニタとが備えられている。これにより、Ｘ線管から照射されて被検体を透過してＸ線検出器で検出されたＸ線検出信号をＸ線ＣＴ用制御処理部で処理し、取得されたＸ線断層画像を表示モニタに表示するように構成されている（特許文献１参照）。
【特許文献１】特開２００５−３０４６９７号公報
【発明の開示】
【発明が解決しようとする課題】
【０００４】
また、一般に、ＰＥＴでは、放射性同位元素の分布画像を表示モニタに表示するときに、ＰＥＴによる標準摂取率をも画素値に変換して併せて表示できるようになっている。一方、Ｘ線ＣＴでは、Ｘ線断層画像を表示モニタに表示するときに、Ｘ線ＣＴからのＣＴ値をも画素値に変換して併せて表示できるようになっている。
【０００５】
しかしながら、標準摂取率およびＣＴ値の両方が高い場合はもちろんのこと、両者のいずれか一方の値が高いときには、新生物を発見することができ、見落としの可能性が低いものの、両者の値がいずれも比較的低い場合に、精密検査を行うと新生物が発見されたにもかかわらず、新生物が無いと誤判断してしまうといったように、見落とす可能性が高いという問題があった。
【０００６】
この発明は、上述のような事情に鑑みてなされたものであって、標準摂取率およびＣＴ値に加え、それらを用いた新しい指標を付与することで新生物の有無の診断を補助できるようにすることを目的とする。
【課題を解決するための手段】
【０００７】
請求項１に係る発明は、上述のような目的を達成するために、次のような構成をとる。
すなわち、被検体に投与された放射性同位元素から発生するγ線を検出し、その検出したγ線に基づいて放射性同位元素の分布画像を得るＰＥＴからの放射性同位元素の分布画像と、被検体に投射されて透過したＸ線を検出し、その検出したＸ線に基づいてＸ線断層画像を得るＸ線ＣＴからのＸ線断層画像とに基づいて両画像を重ね合わせた重ね合わせ画像を作成する画像重ね合わせ手段と、前記分布画像、前記Ｘ線断層画像、または、前記重ね合わせ画像のいずれかに基づいて関心領域を設定する関心領域設定手段と、前記関心領域設定手段で設定された関心領域における前記ＰＥＴによる標準摂取率と前記Ｘ線ＣＴによるＣＴ値との特定相関関係を示す特定相関値を算出する特定相関値算出手段と、前記画像重ね合わせ手段で作成された重ねあわせ画像と前記特定相関値算出手段で算出された特定相関値とを表示する表示手段とを備えたことを特徴としている。
【０００８】
（作用・効果）請求項１に係る発明の画像診断装置の構成によれば、放射性同位元素の分布画像とＸ線断層画像とを重ね合わせた重ね合わせ画像と、ＰＥＴによる標準摂取率とＸ線ＣＴによるＣＴ値との特定相関関係を示す特定相関値とを表示させ、標準摂取率とＣＴ値との特定相関値を新たな指標として与えることができる。
したがって、ＰＥＴによる標準摂取率とＸ線ＣＴによるＣＴ値に加え、新たな指標である特定相関値を用いて新生物の有無の診断を行うことができるから、標準摂取率およびＣＴ値のいずれの値も低く、それぞれの値の個々の比較では、新生物の発見を見落とす可能性が高いような場合でも、特定相関値どうしの比較では差を見出すことができるようになって、新生物の有無の診断を補助することができる。
【０００９】
また、請求項２に係る発明は、請求項１に記載の画像診断装置において、
特定相関値算出手段で算出された特定相関値を画素値に変換する画素値変換手段を備え、前記画素値変換手段で画素値に変換された特定相関値の画像を表示手段に表示させるように構成する。
【００１０】
（作用・効果）請求項２に係る発明の画像診断装置の構成によれば、画素ごとの特定相関値を画素値に変換して画像で表示するから、視覚的に判断することができ、新生物の有無を診断しやすいものにできる。
【発明の効果】
【００１１】
以上説明したように、請求項１に係る発明の画像診断装置の構成によれば、放射性同位元素の分布画像とＸ線断層画像とを重ね合わせた重ね合わせ画像と、ＰＥＴによる標準摂取率とＸ線ＣＴによるＣＴ値との特定相関関係を示す特定相関値とを表示させ、標準摂取率とＣＴ値との特定相関値を新たな指標として与えることができる。
したがって、ＰＥＴによる標準摂取率とＸ線ＣＴによるＣＴ値に加え、新たな指標である特定相関値を用いて新生物の有無の診断を行うことができるから、標準摂取率およびＣＴ値のいずれの値も比較的低く、それぞれの値の個々の比較では、新生物の発見を見落とす可能性が高いような場合でも、特定相関値どうしの比較では差を見出すことができるようになって、新生物の有無の診断を補助することができる。
【発明を実施するための最良の形態】
【００１２】
次に、この発明の実施例について、図面に基づいて詳細に説明する。
【実施例１】
【００１３】
図１は、この発明の実施例に係る画像診断装置を示す概略構成図であり、被検体Ｍを載置する天板１が水平方向に変位可能に設けられ、その天板１の移動方向の一端側にＰＥＴ用ガントリ２とＸ線ＣＴ用ガントリ３とが備えられている。
ＰＥＴ用ガントリ２にγ線検出器４が設けられるとともに、ＰＥＴ用制御処理部５が備えられてＰＥＴが構成され、ＰＥＴ用制御処理部５に表示モニタ６が接続されている。これにより、被検体Ｍに投与されたポジトロン型の放射性同位元素から発生するγ線をγ線検出器４で検出し、その検出されたγ線検出信号をＰＥＴ用制御処理部５で処理し、取得された放射性同位元素の分布画像を表示手段としての表示モニタ６に表示するように構成されている。
【００１４】
また、Ｘ線ＣＴ用ガントリ３に、被検体ＭにＸ線を照射するＸ線管７と、被検体Ｍを透過したＸ線を検出するＸ線検出器８とが設けられるとともに、Ｘ線ＣＴ用制御処理部９が備えられてＸ線ＣＴが構成され、Ｘ線ＣＴ用制御処理部９に表示モニタ６が接続されている。これにより、Ｘ線管７から照射されて被検体Ｍを透過してＸ線検出器８で検出されたＸ線検出信号をＸ線ＣＴ用制御処理部９で処理し、取得されたＸ線断層画像を表示モニタ６に表示するように構成されている。
【００１５】
ＰＥＴ用制御処理部５には、γ線検出器４から出力されるγ線検出信号に基づいて画像再構成を行い、放射性同位元素の分布画像を取得するＲＩ分布画像取得部１０と、被検体Ｍにおける放射性同位元素の分布画像を取得する撮影位置を設定するＲＩ分布像撮影位置設定部１１と、表示モニタ６に放射性同位元素の分布画像の表示や、取得した放射性同位元素の分布画像の一覧表示を行わせるＲＩ分布画像関連表示部１２とが備えられている。
【００１６】
また、ＰＥＴ用制御処理部５には、ＲＩ分布像撮影位置設定部１１で設定されたＸ線断層画像の撮影位置をＸ線ＣＴのＸ線ＣＴ用制御処理部９に通知する指定撮影位置情報通知部１３と、Ｘ線断層画像の撮影位置と放射性同位元素の分布画像の撮影位置との対応関係と、後述する既撮影位置情報通知部から通知された既撮影位置情報とにしたがって放射性同位元素の分布画像におけるＸ線ＣＴの撮影実行位置を教示するためにＸ線撮影実行位置情報を表示モニタ６に表示するＸ線撮影実行位置情報表示部１４とが備えられている。
【００１７】
一方、Ｘ線ＣＴ用制御処理部９には、Ｘ線管７によるＸ線の照射を制御するＸ線照射制御部１５と、Ｘ線検出器８から出力されるＸ線検出信号に基づいて画像再構成を行い、Ｘ線断層画像を取得するＸ線断層画像取得部１６と、被検体ＭにおけるＸ線断層画像を取得する撮影位置を放射性同位元素の分布画像の撮影位置と対応させた状態で設定するＸ線断層像撮影位置設定部１７と、Ｘ線断層画像取得部１６で取得したＸ線断層画像の表示等を行わせるＸ線断層画像関連表示部１８とが備えられている。
【００１８】
また、Ｘ線ＣＴ用制御処理部９には、ＰＥＴ用制御処理部５の指定撮影位置情報通知部１３から通知された指定撮影位置情報を表示モニタ６に表示する指定撮影位置情報表示部１９と、Ｘ線断層画像の撮影を実行した撮影位置を示す既撮影位置情報をＰＥＴ用制御処理部９に通知する既撮影位置情報通知部２０とが備えられている。
【００１９】
ＲＩ分布画像取得部１０で取得された放射性同位元素の分布画像の画像データは、撮影位置情報と被検体Ｍに対応した標準摂取率とともにＰＥＴ用画像メモリ２１に格納され、一方、Ｘ線断層画像取得部１６で取得されたＸ線断層画像の画像データは、Ｘ線ＣＴ用画像メモリ２２に撮影位置情報とＣＴ値とともに格納されるようになっている。図中、２３は、放射性同位元素の分布像の撮影位置の指定などを行うＰＥＴ用操作部を示し、２４は、Ｘ線断層像の撮影位置の指定などを行うＸ線ＣＴ用操作部を示している。
【００２０】
図2のこの発明に係る画像診断装置の実施例１の構成のブロック図に示すように、ＰＥＴ用画像メモリ２１に格納された画像データ、および、Ｘ線ＣＴ用画像メモリ２２に格納された画像データは、マイクロコンピュータ２５に取り込まれ、必要な画像を表示モニタ６に表示できるように構成されている。
マイクロコンピュータ２５には、ＰＥＴ用読み込み手段２６、Ｘ線ＣＴ用読み込み手段２７、ＳＵＶ抽出手段２８、第１の画素値変換手段２９、画像重ね合わせ手段３０、ＣＴ値抽出手段３１、第２の画素値変換手段３２、特定相関値算出手段としてのＣＴ値／ＳＵＶ比算出手段３３、第３の画素値変換手段３４、および、画像出力手段３５が備えられている。
また、マイクロコンピュータ２５には表示画像位置指定手段３６が接続され、表示モニタ６には関心領域設定手段３７が接続されている。
【００２１】
ＰＥＴ用読み込み手段２６では、ＰＥＴ用画像メモリ２１に格納された画像データを、撮影位置情報と被検体Ｍに対応した標準摂取率とともに読み込み、表示画像位置指定手段３６で指定された位置（被検体Ｍの断層撮影位置）に対応した放射性同位元素の分布画像の画像データを出力し、その放射性同位元素の分布画像を、図3の放射性同位元素の分布画像の一例を示す概略図に示すように、画像出力手段３５を介して表示モニタ６中の分割画面のひとつに表示できるようになっている。
【００２２】
また、Ｘ線ＣＴ用読み込み手段２７では、Ｘ線ＣＴ用画像メモリ２２に格納された画像データを、撮影位置情報とＣＴ値とともに読み込み、表示画像位置指定手段３６で指定された位置（被検体Ｍの断層撮影位置）に対応したＸ線断層画像の画像データを出力し、そのＸ線断層画像を、図４のＸ線断層画像の一例を示す概略図に示すように、画像出力手段３５を介して表示モニタ６中の分割画面のひとつに表示できるようになっている。
【００２３】
画像重ね合わせ手段３０では、ＰＥＴ用読み込み手段２６から出力される放射性同位元素の分布画像の画像データと、Ｘ線ＣＴ用読み込み手段２７から出力されるＸ線断層画像の画像データとを重ね合わせ、その重ね合わせ画像を、図５の重ね合わせ画像の一例を示す概略図に示すように、画像出力手段３５を介して表示モニタ６中の分割画面のひとつに表示できるようになっている。
【００２４】
ＳＵＶ抽出手段２８では、表示画像位置指定手段３６で指定された位置（被検体Ｍの断層撮影位置）で、かつ、関心領域設定手段３７で設定された関心領域ＲＯＩに対応した標準摂取率を抽出し、その文字および数値を第１の画素値変換手段２９で画素値に変換し、文字および数値を、図3に示すように、画像出力手段３５を介して表示モニタ６の放射性同位元素の分布画像と同一画面の左上隅に表示できるようになっている。
【００２５】
ＣＴ値抽出手段３１では、表示画像位置指定手段３６で指定された位置（被検体Ｍの断層撮影位置）で、かつ、関心領域設定手段３７で設定された関心領域ＲＯＩに対応したＣＴ値を抽出し、その文字および数値を第２の画素値変換手段３２で画素値に変換し、文字および数値を、図４に示すように、画像出力手段３５を介して表示モニタ６のＸ線断層画像と同一画面の左上隅に表示できるようになっている。
【００２６】
ＣＴ値／ＳＵＶ比算出手段３３では、ＳＵＶ抽出手段２８で抽出された標準摂取率とＣＴ値抽出手段３１で抽出されたＣＴ値とに基づいて、両者の特定相関関係を示す特定相関値としてのＣＴ値／ＳＵＶ比を算出し、その算出したＣＴ値／ＳＵＶ比の文字および数値を第３の画素値変換手段３４で画素値に変換し、図５に示すように、画像出力手段３５を介して表示モニタ６の重ね合わせ画像と同一画面の左上隅に表示できるようになっている。
【００２７】
次に、ＣＴ値／ＳＵＶ比の算出例について説明する。
ＳＵＶは、Standard Uptake Value（標準摂取率）の略で、被検体Ｍの測定値（体重と身長）、放射能の測定値および放射性同位元素の投与量を考慮して、腫瘍の相対的な放射性薬剤の取り込みを示す算出値で、下記の（１）式で定義されるものである。
ＳＵＶ＝組織放射能（Ｂｑ／ｇ）／〔投与量（Ｂｑ）÷体重（ｇ）〕……（１）
【００２８】
ＣＴ値は、非照射体の密度の違いによりＸ線吸収度が異なることを利用して、計算により画像を再現するために必要な係数であり、下記の（２）式で定義されるものである。
ＣＴ値＝Ｋ（μ−μｗ）／μｗ……（２）
ここで、μはＸ線線減弱係数であり、μｗは水のＸ線線減弱係数である。Ｋは定数で１０００であり、水のＣＴ値を０、空気のＣＴ値を−１０００と定義して定められている。
特定相関値であるＣＴ値／ＳＵＶ比としては、分母が０にならないように、下記（３）式のように定める。
ＣＴ値／（ＳＵＶ＋α）……（３）  但し、０．１≦α≦０．５
αは適宜設定する定数である。
【００２９】
以上の構成により、標準摂取率（ＳＵＶ）を数値表示した放射性同位元素の分布画像、および、ＣＴ値を数値表示したＸ線断層画像に加え、特定相関値であるＣＴ値／ＳＵＶ比を数値表示した、放射性同位元素の分布画像とＸ線断層画像との重ね合わせ画像をも表示モニタ６に表示し、標準摂取率（ＳＵＶ）およびＣＴ値単独では発見しにくい新生物であっても、特定相関値であるＣＴ値／ＳＵＶ比を新たな指標として、精密検査を促すことができる場合を生み出し、診断効果を高めることに寄与できる。
【００３０】
すなわち、一例を示せば、表１に示す通りである。
ここでは、α＝０．１として特定相関値であるＣＴ値／ＳＵＶを算出している。パターン１の場合であれば、ＣＴ値／ＳＵＶ＝３０／（６＋０．１）＝３０／６．１≒４．９２である。パターン２、３および４、ならびに、肺野それぞれの場合についても同様に算出される。
【表１】
2007307125.tif 000003
【００３１】
上記例で説明すれば、表中の新生物のパターン1および２は、ＣＴ値がパターン５の肺野内と比較して相対的に高いため、Ｘ線断層画像で新生物を発見でき、見落とす可能性は低いと考えられる。
パターン３は、ＣＴ値が肺野内と比較してあまり変わらず、淡い陰影であるが、標準摂取率（ＳＵＶ）が高いため、放射性同位元素の分布画像で新生物を発見でき、見落とす可能性は低いと考えられる。
パターン４は、ＣＴ値が肺野内と比較してあまり変わらず、かつ、標準摂取率（ＳＵＶ）も低いため、Ｘ線断層画像および放射性同位元素の分布画像それぞれからは新生物を見落とす可能性が比較的高いが、新たな指標であるＣＴ値／ＳＵＶｎ導入によって、それらの見落としを回避できる可能性を高くできると考えられる。
【実施例２】
【００３２】
図６は、この発明に係る画像診断装置の実施例１の構成を示すブロック図であり、実施例１と異なるところは次の通りである。
マイクロコンピュータ４１内に、ＰＥＴ用読み込み手段４２、Ｘ線ＣＴ用読み込み手段４３、ＳＵＶ抽出手段４４、ＣＴ値抽出手段４５、画素別ＣＴ値／ＳＵＶ比算出手段４６、画素値変換手段４７、および、画像出力手段４８が備えられている。
また、マイクロコンピュータ４１には、ＰＥＴ用画像メモリ２１、Ｘ線ＣＴ用画像メモリ２２、表示画像位置指定手段４９および表示モニタ６が接続されている。
【００３３】
ＰＥＴ用読み込み手段４２では、ＰＥＴ用画像メモリ２１に格納された画像データを、撮影位置情報と被検体Ｍに対応した標準摂取率とともに読み込み、表示画像位置指定手段４９で指定された位置（被検体Ｍの断層撮影位置）に対応した放射性同位元素の分布画像の画像データを出力するようになっている。
【００３４】
また、Ｘ線ＣＴ用読み込み手段４３では、Ｘ線ＣＴ用画像メモリ２２に格納された画像データを、撮影位置情報とＣＴ値とともに読み込み、表示画像位置指定手段４９で指定された位置（被検体Ｍの断層撮影位置）に対応したＸ線断層画像の画像データを出力するようになっている。
【００３５】
ＳＵＶ抽出手段４４では、表示画像位置指定手段４９で指定された位置（被検体Ｍの断層撮影位置）に対応した標準摂取率を抽出して出力するようになっている。
また、ＣＴ値抽出手段４５では、表示画像位置指定手段４９で指定された位置（被検体Ｍの断層撮影位置）に対応したＣＴ値を抽出して出力するようになっている。
【００３６】
画素別ＣＴ値／ＳＵＶ比算出手段４６では、ＳＵＶ抽出手段４４から出力される標準摂取率（ＳＵＶ）と、ＣＴ値抽出手段４５から出力されるＣＴ値とに基づき、画素ごとにそれらの値を（３）式に代入し（αは実施例１の０．１などの所定の値を設定する）、画素別に特定相関値であるＣＴ値／ＳＵＶ比を算出するようになっている。
【００３７】
画素値変換手段４７では、画素別ＣＴ値／ＳＵＶ比算出手段４６で算出されたＣＴ値／ＳＵＶ比を、最大変化幅に対する割合に基づいてグレースケール化した画素値に変換し、ＣＴ値／ＳＵＶ比を画像化して画像出力手段４８を介して表示モニタ６に表示するようになっている。
この表示形態としては、濃淡変化による表示であるとか、カラー化による色別表示など、各種の形態が採用できる。他の構成は実施例１と同じであり、その説明は省略する。
【００３８】
この実施例２によれば、新たな指標であるＣＴ値／ＳＵＶ比の変化の状態を、濃淡や色の違いなどによって、ひとつの画像で一目で見ることができて診断のしやすさを向上できる。
【００３９】
上記実施例では、新たな指標としての特定相関値を、
ＣＴ値／（ＳＵＶ＋α）……（３）  但し、０．１≦α≦０．５
と定めているが、例えば、標準摂取率（ＳＵＶ）に重み付けをするために１０００倍にし、その標準摂取率（ＳＵＶ）をＣＴ値に加算した値〔ＣＴ値＋（ＳＵＶ＋α）×１０００〕にするとか、あるいは、逆にＣＴ値に重み付けをするために２乗し、ＣＴ値×ＣＴ値／（ＳＵＶ＋α）にするなど、要するに、標準摂取率およびＣＴ値それぞれ個々の値が低くても、新たな指標として、それらとは異種の変化を呈するように、ＰＥＴによる標準摂取率とＸ線ＣＴによるＣＴ値との特定相関関係を示す特定相関値とするものであれば、各種のものが採用できる。
【００４０】
本発明としては、ＰＥＴやＸ線ＣＴなどに付設する場合に限らず、放射性同位元素の分布画像およびＸ線断層画像それぞれを格納したＦＤ、ＣＤ、ＭＤから画像データを読み込む装置と前述したマイクロコンピュータと表示モニタとを備えて構成すれば良い。
【図面の簡単な説明】
【００４１】
【図１】この発明の実施例に係る画像診断装置を示す概略構成図である。
【図２】この発明に係る画像診断装置の実施例１の構成を示すブロック図である。
【図３】放射性同位元素の分布画像の一例を示す概略図である。
【図４】Ｘ線断層画像の一例を示す概略図である。
【図５】重ね合わせ画像の一例を示す概略図である。
【図６】この発明に係る画像診断装置の実施例２の構成を示すブロック図である。
【符号の説明】
【００４２】
６…表示モニタ（表示手段）
３０…画像重ね合わせ手段
３３…ＣＴ値／ＳＵＶ比算出手段（特定相関値算出手段）
３７…関心領域設定手段
４７…画素値変換手段
Ｍ…被検体
ＲＯＩ…関心領域
【図１】
2007307125.tif 000004
【図２】
2007307125.tif 000005
【図３】
2007307125.tif 000006
【図４】
2007307125.tif 000007
【図５】
2007307125.tif 000008
【図６】
2007307125.tif 000009